(57)【要約】【課題】心電図検査の実行中に得られる誤警報に関連する問題に対処しかつ心電図検査を介して取得した情報に運動データを補足する。【解決手段】心電計と通信可能に結合させた複数のセンサ（１４）は、患者の身体（２６）が発生させた電気インパルスを検出しかつ検出した電気インパルスを示す信号を心電計に送信する。システムは、心電計と通信可能に結合させた運動検出フィーチャ（３２）であって患者の身体の動きを検出しかつ検出した動きを示す信号を心電計に提供する運動検出フィーチャを含む。心電計は検出した運動を示す信号に基づいて特定のタイプの患者運動及び／または患者体位を検出し、検出した電気インパルスを示す信号に基づいて出力を提供し、かつ検出した動きを示す信号に基づいて出力を提供する。【選択図】図１
2011212441.tif 000002
【特許請求の範囲】
【請求項１】
心電計（１０）と、
前記心電計と通信可能に結合させた複数のセンサ（１４）であって、その各々が患者の身体（２６）が発生させた電気インパルスを検出しかつ検出した電気インパルスを示す信号を心電計に送信することが可能な電極を備える複数のセンサと、
前記心電計と通信可能に結合させた運動検出フィーチャ（３２）であって、患者の身体の動きを検出しかつ検出した動きを示す信号を心電計に提供することが可能な運動検出フィーチャと、を備えるシステムであって、
前記心電計は、検出運動を示す信号に基づいて特定のタイプの患者運動及び／または患者体位を検出することが可能であり、検出した電気インパルスを示す信号に基づいて出力を提供することが可能であり、かつ検出した動きを示す信号に基づいて出力を提供することが可能である、システム。
【請求項２】
前記運動検出フィーチャ（３２）は加速度計またはジャイロを備える、請求項１に記載のシステム。
【請求項３】
前記運動検出フィーチャ（３２）は前記複数のセンサ（１４）のうちの１つと一体である、請求項１に記載のシステム。
【請求項４】
前記運動検出フィーチャ（３２）は、複数のセンサの前記１つと共有した通信ケーブル（１６）を介して心電計（１０）と通信可能に結合している、請求項３に記載のシステム。
【請求項５】
前記心電計（１０）は、運動検出フィーチャから取得した計測値のトレンドの実験データとの比較に基づいて患者運動の特定のタイプを検出するように構成されている、請求項１に記載のシステム。
【請求項６】
前記心電計（１０）は、患者からある種の電気信号が検出されたときに警報を作動させること、並びに運動検出フィーチャからの計測値に基づいて運動の検出に基づいたある時間期間にわたって警報を抑制すること、を行うように構成されている、請求項１に記載のシステム。
【請求項７】
前記運動検出フィーチャ（３２）は前記複数のセンサ（１４）から分離された運動検出センサ（４０）と一体である、請求項１に記載のシステム。
【請求項８】
前記運動検出フィーチャ（３２）は患者の身体（２６）が実質的に無運動であるときに患者身体内部の臓器の動きを検出することが可能であり、かつ前記心電計（１０）は検出した臓器の動きに基づいて補完的な診断情報を提供することが可能である、請求項１に記載のシステム。
【請求項９】
複数の運動検出フィーチャ（３２）を備える請求項１に記載のシステム。
【請求項１０】
患者の身体（２６）からの電気インパルスを検出することが可能な電極からの信号及び患者の身体の動きを検出することが可能な運動検出フィーチャ（３２）からの信号を受け取ることが可能な１つまたは複数の入力と、
前記運動検出フィーチャからの信号に基づいて患者の身体のあるタイプの運動及び／または姿勢を特定することが可能なプロセッサ（２２）と、
電気インパルスのある種のレベルまたはパターンを検出した際に音響式、触感式または視覚式の警報を提供することが可能でありかつ運動検出フィーチャからの信号に基づいて患者の身体の前記タイプの運動及び／または姿勢に関する対応する指示を提供することが可能な警報機構（２０）と、
を備える心電計モニタ（１０）。
【発明の詳細な説明】
【技術分野】
【０００１】
本明細書で開示している主題は心電図検査に関する。より具体的には本実施形態は、心電図検査の実行中に得られる誤警報に関連する問題に対処しかつ心電図検査を介して取得した情報に運動データを補足するためのシステム及び方法を目的としている。
【背景技術】
【０００２】
心電図検査は、心電計と呼ぶデバイスによって実施される診断手技であり、この際に心臓が拍動するときに心臓が発生させる電気インパルスを計測することによって患者の心臓活動が電子的に記録される。電気インパルスは心臓の洞房結節内で始まり心筋の周りにある神経経路網を通って伝播する。このインパルスは、筋肉繊維を刺激することによって心臓筋肉を収縮させ、これにより心収縮期が生じる。心臓の異なる部位では異なったレベルの電気活動が生じることがある。この電気活動は患者の皮膚を介して検出することが可能である。したがって心電計は、患者の皮膚上の心臓を基準とした異なった位置に配置させた電極を含んでおり、これにより各電極が心臓の異なる部分での電気活動を計測することができる。電極は従来では心臓の近くと患者の四肢上の指定の部位に配置されていた。心電図検査の実行による成果物は典型的には、心拍サイクルに関する心電計によるグラフ記録である心電図（ＥＣＧ）である。ＥＣＧは、電極間の電圧並びに電極の様々な配置に基づいた心臓の異なる部位からの筋肉活動の計測を含むことがある。
【先行技術文献】
【特許文献】
【０００３】
【特許文献１】米国特許第７４７６２０６号
【発明の概要】
【発明が解決しようとする課題】
【０００４】
心電計及び得られたＥＣＧは、不整脈すなわち心臓のリズム異常、心臓の様々な部位の欠陥、伝達組織に対する損傷、電解質の不均衡、その他に関する計測及び診断に利用されることが多い。さらに心電計は、病院、クリニック、その他において患者を連続的に監視するために利用されることが多い。患者の監視中にＥＣＧがある種の患者状態の出現を示した場合、当該状態についてヘルスケア提供者に通知するために警報を発生させることがある。しかしＥＣＧ信号内のノイズのために、様々な誤警報を生じることがあり得る。こうした誤警報は妨害となる可能性があり、また患者看護に非効率性を生じさせることがある。
【課題を解決するための手段】
【０００５】
ある種の実施形態は、以下に要約した原特許請求の発明とその範囲が相応している。これらの実施形態は本特許請求の発明範囲を限定することを意図したものではなく、これらの実施形態はむしろ本発明の可能な形態に関する簡単な要約を提供することだけを意図したものである。実際に本発明は、以下に示した実施形態と同じものあるいはこれらと異なるものとし得る多種多様な形態を包含することができる。
【０００６】
一実施形態によるシステムは、心電計と、該心電計と通信可能に結合させた複数のセンサと、を含んでおり、該複数のセンサのそれぞれは、患者の身体が発生させた電気インパルスを検出しかつ該検出した電気インパルスを示す信号を心電計に送信することが可能な電極を備える。一実施形態では本システムはさらに、心電計と通信可能に結合させた運動検出フィーチャを含んでおり、該運動検出フィーチャは患者の身体の動きを検出しかつ検出した動きを示す信号を心電計に提供することが可能であると共に、心電計は検出運動を示す信号に基づいて特定のタイプの患者運動及び／または患者体位を検出することが可能であり、検出した電気インパルスを示す信号に基づいて出力を提供することが可能であり、かつ検出した動きを示す信号に基づいて出力を提供することが可能である。
【０００７】
一実施形態による心電計モニタは、患者の身体からの電気インパルスを検出することが可能な電極からの信号及び患者の身体の動きを検出することが可能な運動検出フィーチャからの信号を受け取ることが可能な１つまたは複数の入力と、運動検出フィーチャからの信号に基づいて患者の身体のあるタイプの運動及び／または姿勢を特定することが可能なプロセッサと、電気インパルスのある種のレベルまたはパターンを検出した際に音響式、触感式または視覚式の警報を提供することが可能でありかつ運動検出フィーチャからの信号に基づいて患者の身体の該タイプの運動及び／または姿勢に関する対応する指示を提供することが可能な警報機構と、を備える。
【０００８】
一実施形態による方法は、患者の動きの検出が可能な運動検出フィーチャからの計測値を受け取るステップと、心電計において患者からの電気インパルスを検出可能な電極からの計測値を受け取るステップと、を含む。一実施形態では本方法はさらに、運動検出フィーチャ及び電極からの計測値を記録するステップと、該記録した計測値に基づいてあるレベルまたはタイプの患者の動きの有無を特定するステップと、該特定した動きに基づいて電極からの計測値により生成される警報を抑制するステップと、を含む。
【０００９】
本発明に関するこれらの特徴、態様及び利点、並びにその他の特徴、態様及び利点については、同じ参照符号が図面全体を通じて同じ部分を表している添付の図面を参照しながら以下の詳細な説明を読むことによってより理解が深まるであろう。
【図面の簡単な説明】
【００１０】
【図１】患者に結合させたセンサを含む心電計の一実施形態を表した図である。
【図２】結合用フィーチャ、電極及び加速度計を互いに一体にして備えたセンサの一実施形態の斜視図である。
【図３】電極センサとは別に利用され得る加速度計を含む加速度計センサの一実施形態の斜視図である。
【図４】患者の引っ掻き運動中に本質的に同時に取得したＥＣＧグラフの一実施形態及び加速度計グラフの一実施形態を表した図である。
【図５】患者の咳き込み運動中に本質的に同時に取得したＥＣＧグラフの一実施形態及び加速度計グラフの一実施形態を表した図である。
【図６】患者が体位を仰臥位から座位にし仰臥位に戻した時間期間中に本質的に同時に取得したＥＣＧグラフの一実施形態及び加速度計グラフの一実施形態を表した図である。
【図７】ある種の運動タイプが特定されると共に誤警報を制限するためまたは誤警報の潜在的原因の特定を容易にするための処置がとられているような、本実施形態によるシステムにより実行し得る処理法またはアルゴリズムの一実施形態を表した図である。
【発明を実施するための形態】
【００１１】
本発明の具体的な１つまたは複数の実施形態について以下に記載することにする。これらの実施形態に関する簡明な説明を提供するように努めるにあたり、本明細書では実際の実現形態のフィーチャの必ずしもすべてを記載しないことがある。あらゆる工学プロジェクトや設計プロジェクトの場合と同様にこうした実際の任意の実現形態を開発するにあたっては、システム関連及び事業関連の制約との適合など実現形態ごとに様々であり得る開発者の具体的な目標を達成するために数多くの実現形態特異的な判断を行わねばならないことを理解されたい。さらにこうした開発努力は複雑かつ時間がかかることがあり得るが、しかしこれはこの開示の恩恵を有する当業者にとっては設計、製作及び製造のルーチン作業であることを理解されたい。
【００１２】
本発明の様々な実施形態の構成要素を導入する際に、冠詞「１つの（ａ）」、「１つの（ａｎ）」、「その（ｔｈｅ）」及び「前記（ｓａｉｄ）」は当該構成要素が１つまたは複数存在すること示すように意図している。「を備えた（ｃｏｍｐｒｉｓｉｎｇ）」、「を含む（ｉｎｃｌｕｄｉｎｇ）」及び「を有する（ｈａｖｉｎｇ）」という表現は、列挙した構成要素以外に追加の構成要素を含み得ること並びにこれらが存在し得ることを示すように意図している。
【００１３】
ここで、運動アーチファクトが心電計監視中に誤警報を生じさせることが多いことを理解されたい。例えばここで、ある種の反復性運動アーチファクトが病的な不整脈に類似しこれが誤警報に繋がることが多いことを理解されたい。一般に過度な回数の誤警報があると、医療介助者がそれぞれの警報に対処することは困難となる。実際に、提示される警報が多いほど、介助者は警報への対処により多くの時間を費やさなければならない。このことは非効率や費用の増大となる可能性がある。実際にこうした誤警報は、患者１人あたりの医療介助者の数を低減しようとする病院やクリニックにとって特に不都合となるおそれがある。
【００１４】
したがって本実施形態は、運動アーチファクトに基づく誤警報に関するある種の問題に対処するために加速度計やその他の運動検出デバイス（例えば、ジャイロまたは光学式デバイス）によって患者運動を検出及び計測することを目的とする。実際に、加速度計を介して取得した運動計測値は、患者運動に由来する警報の抑制、介助者に対する追加的な情報の提供及び／または運動アーチファクトを除去するための心電計信号の補償を行うために使用されることがある。具体的には例えば、特定した運動アーチファクトは、検出した運動アーチファクトに関連してある時間期間内に作動されるはずのある種の警報を抑制するために利用されることがある。別の例として、運動アーチファクトを特定しこれを心電計信号から自動的に排除することがある。さらに別の例として、検出した運動アーチファクトに関するインジケータを医療介助者に対して提示し、これによりある具体的な誤警報の原因をより迅速に明確化させることがある。さらにここで、加速度計により検出されるある種の運動が患者状態の解析を容易にするための追加の計測値を提供するために利用されることもあることを理解されたい。例えば幾つかの条件下において加速度計は、特定の動きのパターンに基づいて呼吸、心拍数その他に関する診断情報を提供することがある。実際に、１つまたは複数の加速度計信号の変化を用いて臓器運動、心臓や肺の活動を検出することがある。さらに、ある種のタイプの運動の特定に基づいて応答（例えば、警報抑制）を始動するために１つまたは複数の加速度計信号の変化が利用されることがある。以下の例では運動を検出するためのフィーチャとして加速度計を具体的に検討していることに留意すべきである。しかし幾つかの実施形態では、運動を外部検出し得るような自己充足型のジャイロ式及び光学式フィーチャなど様々な運動検出フィーチャが利用されることがある。
【００１５】
図１は、本実施形態による心電計１０を表している。具体的には心電計１０は、モニタ１２、センサ１４、通信ケーブル１６、ケーブル中継部１８、ディスプレイ２０、プロセッサ２２及びメモリ２４を含む。図示した実施形態、患者２６上の様々な部位にセンサ１４を結合させている。患者２６とセンサ１４の間のこの結合は、センサ１４その他の接着部分（例えば、粘着性の基層）によって実現させることがある。センサ１４は個別の通信ケーブル１６を介してケーブル中継部１８に結合させると共に、このケーブル中継部１８は通信ケーブル１６のうちの単一のケーブルを介してモニタ１２と結合させている。別の実施形態では、様々な配列を実施させることがある。例えば各センサ１４はモニタ１２と直接通信することがある。幾つかの実施形態では各センサ１４をワイヤレス式でモニタ１２と通信可能に結合させることや、モニタ１２とワイヤレス式に通信し得るケーブル中継部１８と結合させることがある。さらに幾つかの実施形態では、異なる数または異なる配置のセンサ１４が利用されることがある。以下で検討するような一実施形態では、単独型の電極／加速度計センサが利用されることがある。こうしたセンサをモニタ１２に対する単独入力と結合させることや、モニタ１２が各センサ及び／または各センサタイプごとに別々の入力を含むことがある。
【００１６】
本実施形態では、拡大像２７でより明瞭に示したように図１に示した各センサ１４は、センサ１４を患者２６に取り付けるための結合用フィーチャ２８（例えば、その一方の側に接着剤が付けられた太いテープ片）と、電気活動を計測するための電極３０と、運動を検出するための加速度計３２と、を含む。電極３０と加速度計３２のうちの一方または両方を、通信ケーブル１６と通信可能に結合しているセンサ１４の基部３４と一体とさせることがある。幾つかの実施形態では加速度計３２をジャイロなどの様々な運動検出デバイスによって置き換えることがあることに留意すべきである。
【００１７】
図１による実施形態では、加速度計３２をセンサ１４と一体としている。例えば図２は、結合用フィーチャ２８、電極３０及び加速度計３２を互いに一体とさせて備えたセンサ１４のうちの１つの斜視図を表している。しかし幾つかの実施形態では図３に示すように、加速度計３２を電極３０から分離させることがある。実際に図３は、結合用フィーチャ４２（例えば、接着テープ）と通信ケーブル１６のうちの１つと結合させた加速度計３２とを含む単独の加速度計センサ４０を表している。図３に示した通信ケーブル１６は、様々なタイプのセンサからの他の通信ケーブル１６と一緒にケーブル中継部１８と結合させることや、モニタ１２の単独のポートに直接結合させることがある。加速度計センサ４０のうちの１つまたは幾つかを、本実施形態に従って従来の心電計センサの近くで患者２６に単独で付与し、心電計センサのうちの１つまたは幾つかを基準とした運動を具体的に特定できるようにすることがある。さらに、別の実施形態では様々なタイプの運動を特定するために、その加速度計センサ４０を従来の心電計センサ（複数のセンサのこともある）１４を基準とした様々な箇所に配置することがある。
【００１８】
本実施形態は一般に、ＥＣＧの計測及び記録並びに少なくとも１つの加速度計計測値での計測及び記録を同時に行うことを含む処理法を目的としている。患者運動（例えば、四肢運動や臓器運動）を検出するために、加速度計計測値の変化のトレンド及び相関を求めることがある。実際に、加速度計計測値は、身体体位の変化（例えば、臥位から座位への変化）、咳き込み、皮膚引っ掻き、その他などの異なる数多くの患者活動を特定するために利用されることがある。この情報は様々な診断目的で利用されることがある。例えば、ＥＣＧを検討している医師がそのＥＣＧ上のデータに対応するある時間期間にある種の仕方で患者が動いたことを認識できると有用となり得る。上で指摘したように、ここでこのような患者運動は誤警報を始動させるような運動アーチファクトを生じさせる可能性があることを理解されたい。したがって看護提供者は誤警報を起こす可能性がある運動を認識することができる。さらに本実施形態は、ある種のレベルまたはタイプの患者運動が検出されると、そのＥＣＧ信号を抑制すること、そのＥＣＧ信号に関連する警報を抑制すること、ある種のタイプの運動を特定し通報を提供すること、かつ／または誤警報の発生を排除及び／または低減するようにそのＥＣＧ信号を修正すること、を行うように機能することがある。
【００１９】
図４は、患者の引っ掻き運動中に取得したＥＣＧ１００及び加速度計グラフ１０２を含む。ＥＣＧ１００は従来のＥＣＧプロット１０４を含んでおり、また加速度計グラフ１０２は３種類の軸に沿って加速度が計測される加速度計である３軸加速度計からの計測値を含む。したがって加速度計グラフ１０２は、プロット１０６（Ｘ軸）、プロット１０８（Ｙ軸）及びプロット１１０（Ｚ軸）で表した３つの方向の各方向ごとのデータを含む。ＥＣＧプロット１００と加速度計プロット１０２の両者は、同じ患者から同じ時間期間にわたって取得したものである。これらの計測値を取得した時間中に、患者に自分の左腕を用いて、従来の心電図検査の電極配列の右上の電極の近くで皮膚を掻かせた。患者の腕の動き並びにセンサの動きにより生成されるノイズにより活性化された電解質がＥＣＧプロット１０４内に歪みを生じさせたと考えられる。実際に、加速度計グラフ１０２により示した対応する計測値から明らかなように引っ掻き運動を開始した時点に近い概ね８３秒の位置には追加的なノイズ及びＥＣＧプロット１０４の基線の顕著な変化が存在している。引っ掻き動作は概ね９５秒マークまで継続する一方、ＥＣＧプロット１０４の基線は９０秒マークのあたりで落ち着き始めるように見える。このことは、当初の腕の動きの後に続く指の動き（腕の調節と比較してかなり細かい運き）の間における電解質の安定化に由来すると考えられる。
【００２０】
図５は、患者の咳き込み運動中に取得したＥＣＧ１５０及び加速度計グラフ１５２を含む。図４のＥＣＧ１００及び加速度計グラフ１０２と同様に、ＥＣＧ１５０は従来のＥＣＧプロット１５４を含み、また加速度計グラフ１５２は３軸加速度計からの計測値を含む。加速度計グラフ１５２は、プロット１５６（Ｘ軸）、プロット１５８（Ｙ軸）及びプロット１６０（Ｚ軸）で表した３つの方向の各方向ごとのデータを含む。ＥＣＧプロット１５０と加速度計プロット１５２の両者は、同じ患者から同じ時間期間にわたって取得したものである。これらの計測値を取得した時間中に、患者に吸気及び咳き込みをさせた。ＥＣＧ１５０及び加速度計グラフ１５２内で咳き込みの発生を明瞭に特定することが可能である。実際に、プロット１５６において特に明瞭なように、概ね１６２秒のところで加速度計グラフ１５２の各プロットに低い周波数の変化が存在する。こうした低い周波数は加速度計ノイズと比較して統計的に非常に有意なものである。さらに概ね１６２秒のところでＥＣＧプロット１５４に大きな変化が始っている。ＥＣＧ１５０及び加速度計グラフ１５２のこれらの変化は患者の吸気の結果生じたものである。続いて１６３秒マークのあたりで咳き込みの呼気部分が始まっており、またこれがＥＣＧプロット１５４と加速度計グラフ１５２の各プロットの両方内の大きな分断で示されている。加速度計グラフ１５２は咳き込みの後間もなく実質的に安定化する一方、ＥＣＧプロット１５４はある期間にわたって歪んだままである。本実施形態では、こうした時間期間に注目しこれを解釈することがある。例えば、咳き込み運動の終了が検出された後でこうした実験データに基づいてある時間期間にわたって警報を抑制することがある。
【００２１】
ＥＣＧプロット１０４及び１５０の変化（引っ掻き運動や咳き込みにより生じたものなど）はある種の警報条件と相関することがある。例えば、引っ掻き運動中にＥＣＧプロット１０４により生じるパターンは不整脈に極めて類似することがあり、また従来の心電計ではこうした計測値を受け取ると警報を出すことがある。しかし本実施形態は加速度計グラフ１０２内で検出された運動に基づいてこうした警報を抑制または遅延させるか、警報がすぐに解除される可能性があるとの指示を看護提供者に提供することができる。例えば引っ掻き運動が検出されると、ある時間期間（例えば、最後に運動が検出された後のある秒数）にわたって警報を抑制または遅延させることがある。ある時間期間にわたって運動が消滅していても警報条件がまだ成立していれば、警報を作動させることがある。別の例では、看護提供者が警報の原因を迅速に特定できるように、警報が始動した時間中に起きた運動のタイプをディスプレイによって指示させることがある。例えば看護提供者は、加速度計グラフ１０２に加えてＥＣＧプロット１５４や当該タイプの運動の自動グラフィックインジケータ１５６を吟味すると共に、単に咳き込み運動に由来するものであるため警報が解除される可能性があると認識することがある。実際に本実施形態は、警報を消音させない場合であっても、運動アーチファクトが発生させた可能性がある誤警報に関連するデータを看護提供者に提供することによって看護提供者の効率を向上させることができる。運動の指示には、加速度計から取得した運動に関する生データ（プロット１５６、１５８及び１６０）を含むことや、これによりある種のタイプの運動を明示的に特定（グラフィックインジケータ１５６）することがある。
【００２２】
幾つかの実施形態では、ある種のタイプの運動が検出されたときに心電図検査関連の警報をすべて抑制することがある。別の実施形態では、特定された動きに関するある特定の連続によって生成されるパターンと混同する可能性が高いＥＣＧプロットのトレンドに対応する警報を実験データに基づいて抑制することがある。例えば本実施形態は、引っ掻き運動と咳き込み運動とを（臨床試験を介して取得した実験データに基づいて）識別し、どのタイプの運動が特定されたのかに応じて異なる警報を抑制することがある。具体的に例えば、ある特定のタイプの運動（例えば、引っ掻き）はある具体的な警報条件（例えば、不整脈）に類似することが知られていることがあり、またこうした警報条件に関連する警報を最後に運動を検出した後ある時間期間にわたって抑制することがある。さらに幾つかの実施形態では、検出された運動をＥＣＧプロット１０４内の特定のタイプの歪みと関連付けする実験データに基づいて相関を実施することがあり、またその運動に由来する歪みをそのＥＣＧプロットから除去することがある。ＥＣＧプロット１０４に対する実験データを用いたこうした修正は患者活動中の診断の向上を容易にするために有用となり得る。
【００２３】
図６は、患者がその体位を仰臥位から座位にしさらに仰臥位に戻した時間期間中に取得したＥＣＧ２００及び加速度計グラフ２０２を含む。これは、担当医が履歴トレンドデータを吟味する際に利用し得る情報の一例である。実際に、ある時間期間中の患者の体位はＥＣＧ２００やその他の情報を解析する際に有用となり得る。図４のＥＣＧ１００及び加速度計グラフ１０２と同様に、ＥＣＧ２００は従来のＥＣＧプロット２０４を含み、また加速度計グラフ２０２は３軸加速度計からの計測値を含む。加速度計グラフ２０２は、プロット２０６（Ｘ軸）、プロット２０８（Ｙ軸）及びプロット２１０（Ｚ軸）で表した３つの方向の各方向ごとのデータを含む。加速度計グラフ２０２内の情報の収集中に患者が起こした特定のタイプの運動に基づいて、３軸加速度計の３種類の軸は明瞭に異なる変化を示す。例えばプロット２０８及び２１０は、加速度計が患者の胸部上に位置決めされているため、概ね４２２秒の位置で患者が臥位から起き上がって座位になったときに大きく変化しており、また患者が仰臥位から座位に移ったときには患者が実質的にＹ及びＺ方向に移動している。しかしプロット２０６は、仰臥位と座位の間の遷移から予期されるように患者はＸ方向での大きな移動を示していないため、この遷移の動きの間の変化は非常に小さい。さらに、患者が動いている間にＥＣＧプロット２０４にも顕著な変化が存在している。例えば、２つの体位の間の遷移が開始された近くである概ね２２３秒及び４４５秒のところにＥＣＧプロット２０４の大きな乱れが存在している。ＥＣＧプロット２０４内のノイズは、加速度計グラフ２０２の様々なプロットが提供する運動パターンに相関させ、これを利用して警報の低減及び／または看護提供者への追加的な情報の提供を行うことがある。
【００２４】
図７は、本実施形態によるシステムにより実行させ得る処理法３００を表しており、ここではある種の運動タイプが特定されると共に、誤警報を制限するためあるいは誤警報の潜在的な原因の特定を容易にするための処置が取られる。処理法３００はブロック３０２に示したような少なくとも１つの加速度計からの計測値を受け取ることで開始される。次にブロック３０４に示したように、加速度計からの計測値が時間の経過に従って記録される。加速度計は一般に、重力加速度を差し引いた加速度を計測する役割をしており、したがって加速度計が静止状態にあると、概ね重力加速度（その負号）を指示するのが一般的である。したがって、加速度計の運動を特定するために加速度計の相対測定値が利用されることがある。ブロック３０６に示したように処理法３００は、運動の特定のためにブロック３０４で提供された記録済み計測値を解析及び／または比較することを含む。さらにブロック３０６は、ブロック３０８に示したように加速度計計測値内である種のタイプの運動を示すある種のパターンを特定するステップを含むことがある。
【００２５】
運動が特定された後で本実施形態は、それが単にある具体的なしきい値を超えた運動であるか、あるいはあるパターンが示すある特定のタイプの運動であるかによらず、ブロック３１０〜３１６に示したように加速度計からのデータの解析と同時に取得したＥＣＧに関連して１つまたは複数の処置を実施することがある。例えば、本実施形態は一般に、ある時間期間にわたるＥＣＧの変化に基づいて警報を抑制すること（ブロック３１０）、特定された運動タイプと臨床データにより関連付けされたＥＣＧ内のパターンに関する警報のみを抑制すること（ブロック３１２）、指定のノイズ値を特定された運動タイプと相関させている実験データに基づいてノイズが排除されるようにＥＣＧを修正すること（ブロック３１４）、かつ／または警報が始動されている間またはその始動時刻の近傍で起きた運動に関する指示を提供すること（ブロック３１６）を行うことがある。ブロック３１０に関する時間期間は、特定のタイプのノイズあるいは任意のノイズから回復するのに必要な典型的な時間に基づいて設定されることがある。さらにこの時間は、最後に運動が検出された時点から進行させることがある。しかし、一定の動きによって警報がすべて抑制されることがないように、抑制に関して許容する最大時間量を存在させることがある。ブロック３１２及び３１４に関しては、異なる様々なタイプの運動及び／または対応するノイズ値が臨床試験から取得されることがあり、また得られた実験データを心電計のメモリにあるデータテーブル内に記憶させておき相当な一致があったときにパターンの比較及び特定を行うことがある。具体的な一例では、監視中にある種の運動パターンが特定され、またこれが臨床試験を通じて特定しておいたパターンや運動タイプを含むメモリ内に記憶させたデータテーブルを介してある特定のタイプのノイズと関連付けされることがある。さらにこの運動タイプは、実験データによってある具体的なノイズパターンと相関させることがあり、また補正済の信号を生成するように当該ノイズパターンを心電計信号から差し引くことがある。方法３００の結果には、警報による妨害の低減及び／または看護提供者の時間のより効率的な利用を含むことがある。
【００２６】
本実施形態の別の態様は、運動検出フィーチャを使用した補足の診断データの提供を含む。例えば、運動事象の間で追加的な心臓及び／または肺情報（例えば、心拍数、呼吸数及び肺の音）を計測するために１つまたは複数の加速度計（例えば、３軸加速度計）が利用されることがある。実際に、心臓及び肺のある種の活動を示すようなある種の微細な運動が検出されることがある。例えば、患者が静止状態にある間における様々な方向の運動または患者上の様々な箇所上に位置決めされた加速度計により検出された運動は、心臓の特定の弁の動き及び／またはある種の肺運動（例えば、呼吸）を示すことがある。これらの微細な運動は患者解析のために検出されかつ利用されることがある。例えばある種の心臓運動がうっ血性心不全を示すことがあり、またある種の肺運動が肺のうっ血を示すことがある。したがって、加速度計を利用すると運動事象中に取得した関連するＥＣＧの利用を向上させ得るのみならず、運動事象の間のＥＣＧが提供するデータを補完することもできる。
【００２７】
本発明の技術的効果は、運動アーチファクトに由来する誤警報の低減及び／または特定を容易にすること、無視し得るような追加的なパワー要件により診断目的で運動計測値を同時に取得すること、監視及び診断を容易にするように連続の看護設定において通常遭遇するような患者運動を特定すること、ある種の身体体位変更（例えば、仰臥位や側臥位）を検出し特定すること、ある種の患者条件に関連する運動を検出すること、その他を含むことがある。具体的には例えば、警報の抑制あるいはノイズを打ち消すようなデータの修正のために運動アーチファクトが検出され利用されることがある。別の例では、心拍数、心臓弁の開閉、肺の動き、肝臓や肺アブレーションの間に特徴的な患者運動、並びに血流運動を特定するために運動検出が利用されることがある。
【００２８】
この記載では、本発明（最適の形態を含む）を開示するため、並びに当業者による任意のデバイスやシステムの製作と使用及び組み込んだ任意の方法の実行を含む本発明の実施を可能にするために例を使用している。本発明の特許性のある範囲は本特許請求の範囲によって規定していると共に、当業者により行われる別の例を含むことができる。こうした別の例は、本特許請求の範囲の文字表記と異ならない構造要素を有する場合や、本特許請求の範囲の文字表記と実質的に差がない等価的な構造要素を有する場合があるが、本特許請求の範囲の域内にあるように意図したものである。
【符号の説明】
【００２９】
１０  心電計
１２  モニタ
１４  センサ
１６  通信ケーブル
１８  ケーブル中継部
２０  ディスプレイ
２２  プロセッサ
２４  メモリ
２６  患者
２７  拡大像
２８  結合用フィーチャ
３０  電極
３２  加速度計
３４  基部
４０  加速度計センサ
４２  結合用フィーチャ
１００  ＥＣＧ
１０２  加速度計グラフ
１０４  ＥＣＧプロット
１０６  Ｘ軸プロット
１０８  Ｙ軸プロット
１１０  Ｚ軸プロット
１５０  ＥＣＧ
１５２  加速度計グラフ
１５４  従来のＥＣＧプロット
１５６  Ｘ軸プロット
１５８  Ｙ軸プロット
１６０  Ｚ軸プロット
２００  ＥＣＧ
２０２  加速度計グラフ
２０４  ＥＣＧプロット
２０６  Ｘ軸プロット
２０８  Ｙ軸プロット
２１０  Ｚ軸プロット
３００  処理法
３０２  計測値を受け取る
３０４  計測値を記録する
３０６  計測値を解析する
３０８  パターンを特定する
３１０  ＥＣＧの変化に基づいて警報を抑制する
３１２  ＥＣＧのパターンに関して警報を抑制する
３１４  ＥＣＧを修正する
３１６  運動の指示を提供する
【図１】
2011212441.tif 000003
【図２】
2011212441.tif 000004
【図３】
2011212441.tif 000005
【図４】
2011212441.tif 000006
【図５】
2011212441.tif 000007
【図６】
2011212441.tif 000008
【図７】
2011212441.tif 000009